(57)【要約】【課題】複数の受取方法で認証情報を受け取り可能な場合のユーザの利便性の低下の抑制と消費電力の低減との調和を図ること。【解決手段】データ処理部と、データ処理部への電力供給を行う電源部と、複数の受取方法のうち有効にされている受取方法で認証情報を受け取る受取部と、制御部と、を備え、制御部は、データ処理部の待機時間が基準時間に達したことに応じて、電源部からデータ処理部への電力供給を抑制する抑制処理と、受取部によって認証情報の受け取りが開始されたことに応じて、データ処理部への電力供給の抑制を解除する解除処理と、有効にされている受取方法に応じて基準時間を設定する設定処理（Ｓ１０３）と、を実行する、データ処理装置。【選択図】図２
2015189098.tif 000002
【特許請求の範囲】
【請求項１】
データ処理部と、
前記データ処理部への電力供給を行う電源部と、
複数の受取方法のうち有効にされている受取方法で認証情報を受け取る受取部と、
制御部と、
を備え、
前記制御部は、
前記データ処理部の待機時間が基準時間に達したことに応じて、前記電源部から前記データ処理部への電力供給を抑制する抑制処理と、
前記受取部によって認証情報の受け取りが開始されたことに応じて、前記データ処理部への電力供給の抑制を解除する解除処理と、
前記有効にされている受取方法に応じて前記基準時間を設定する設定処理と、
を実行する、データ処理装置。
【請求項２】
請求項１に記載のデータ処理装置であって、
前記複数の受取方法には、第１の受取方法と、前記第１の受取方法より認証情報の受け取りに要する時間が長い第２の受取方法とがあり、前記第１の受取方法に応じた前記基準時間は、前記第２の受取方法に応じた前記基準時間よりも長い、データ処理装置。
【請求項３】
請求項１に記載のデータ処理装置であって、
前記複数の受取方法には、第１の受取方法と、前記第１の受取方法より認証情報の受け取りに要する時間が長い第２の受取方法とがあり、前記第１の受取方法に応じた前記基準時間は、前記第２の受取方法に応じた前記基準時間よりも短い、データ処理装置。
【請求項４】
請求項３に記載のデータ処理装置であって、
前記制御部は、前記設定処理において、認証情報の受け取りに要する時間が長いほど長い前記基準時間を設定する、データ処理装置。
【請求項５】
請求項２乃至請求項４のいずれか一項に記載のデータ処理装置であって、
前記受取部は、外部記憶媒体から認証情報を読み取る読取装置が接続される接続部と、操作部とを有し、
前記第１の受取方法は前記読取装置が外部記憶媒体から読み取った認証情報を、前記接続部を介して受け取る方法であり、前記第２の受取方法は前記操作部で認証情報の入力を受け付けることによって受け取る方法である、データ処理装置。
【請求項６】
請求項５に記載のデータ処理装置であって、
前記制御部は、前記第２の受取方法の場合は、認証情報の入力を受け付けている途中で前記解除処理を開始する、データ処理装置。
【請求項７】
請求項６に記載のデータ処理装置であって、
前記制御部は、認証情報の入力が完了する前に、入力された分の認証情報が正しいか否かを判断し、正しいと判断した場合に前記解除処理を開始する、データ処理装置。
【請求項８】
請求項２乃至請求項７のいずれか一項に記載のデータ処理装置であって、
前記制御部は、前記第１の受取方法、及び、前記第２の受取方法の両方が有効にされている場合は、前記設定処理において、前記第１の受取方法に応じた前記基準時間を設定する、データ処理装置。
【請求項９】
データ処理部と、
前記データ処理部への電力供給を行う電源部と、
複数の受取方法のうち有効にされている受取方法で認証情報を受け取る受取部と、
制御部と、
を備えるデータ処理装置におけるデータ処理方法であって、
前記制御部が、前記データ処理部の待機時間が基準時間に達したことに応じて、前記電源部から前記データ処理部への電力供給を抑制する抑制工程と、
前記制御部が、前記受取部によって認証情報の受け取りが開始されたことに応じて、前記データ処理部への電力供給の抑制を解除する解除工程と、
前記制御部が、前記有効にされている受取方法に応じて前記基準時間を設定する時間設定工程と、
を含む、データ処理方法。
【請求項１０】
データ処理部と、
前記データ処理部への電力供給を行う電源部と、
複数の受取方法のうち有効にされている受取方法で認証情報を受け取る受取部と、
制御部と、
を備えるデータ処理装置の前記制御部によって実行されるデータ処理プログラムであって、
前記制御部に、
前記データ処理部の待機時間が基準時間に達したことに応じて、前記電源部から前記データ処理部への電力供給を抑制する抑制処理と、
前記受取部によって認証情報の受け取りが開始されたことに応じて、前記データ処理部への電力供給の抑制を解除する解除処理と、
前記有効にされている受取方法に応じて前記基準時間を設定する設定処理と、
を実行させる、データ処理プログラム。
【発明の詳細な説明】
【技術分野】
【０００１】
データ処理部への電力供給の抑制を解除する技術に関する。
【背景技術】
【０００２】
従来、認証情報が記憶されている外部媒体の接続検知がなされた際に、外部媒体に記憶されている識別情報からユーザ認証を行い、ユーザ認証が成功した場合、省エネモードから通常モードへ復帰するように給電が必要なデバイスに対して電力を供給する画像形成装置が知られている（例えば、特許文献１参照）。
【先行技術文献】
【特許文献】
【０００３】
【特許文献１】特開２０１３−５４５５１号公報
【発明の概要】
【発明が解決しようとする課題】
【０００４】
ところで、上述した従来の技術は外部媒体から認証情報を受け取るものであるが、複数の受取方法で認証情報を受け取り可能に構成される場合もある。従来はこのように複数の受取方法で認証情報を受け取り可能な場合にユーザの利便性の低下の抑制と消費電力の低減との調和をどのように図るかについて検討されていなかった。
【０００５】
本明細書では、複数の受取方法で認証情報を受け取り可能な場合のユーザの利便性の低下の抑制と消費電力の低減との調和を図る技術を開示する。
【課題を解決するための手段】
【０００６】
本明細書によって開示されるデータ処理装置は、データ処理部と、前記データ処理部への電力供給を行う電源部と、複数の受取方法のうち有効にされている受取方法で認証情報を受け取る受取部と、制御部と、を備え、前記制御部は、前記データ処理部の待機時間が基準時間に達したことに応じて、前記電源部から前記データ処理部への電力供給を抑制する抑制処理と、前記受取部によって認証情報の受け取りが開始されたことに応じて、前記データ処理部への電力供給の抑制を解除する解除処理と、前記有効にされている受取方法に応じて前記基準時間を設定する設定処理と、を実行する。
【０００７】
上記データ処理装置によると、有効にされている受取方法に応じて基準時間を設定することにより、複数の受取方法で認証情報を受け取り可能な場合のユーザの利便性の低下の抑制と消費電力の低減との調和を図ることができる。
【０００８】
また、前記複数の受取方法には、第１の受取方法と、前記第１の受取方法より認証情報の受け取りに要する時間が長い第２の受取方法とがあり、前記第１の受取方法に応じた前記基準時間は、前記第２の受取方法に応じた前記基準時間よりも長くしてもよい。
【０００９】
第２の受取方法が有効にされている場合、すなわち認証情報の受け取りに時間を要する場合は、認証情報の受け取りが完了する前に電力供給の抑制の解除を開始すれば、認証情報の受け取りを開始してから通常状態への復帰が完了するまでの時間のうち多くの時間が認証情報の受け取りに費やされる。このため、認証情報の受け取りが完了してから通常状態への復帰が完了するまでのユーザの体感時間が短い。体感時間が短ければ、ユーザが認証情報を受け取らせるときにデータ処理部に電力が供給されていなくても、ユーザの利便性は大きく低下しない。このため、第２の受取方法が有効にされている場合は第１の受取方法に応じた基準時間よりも短い基準時間を設定しておくことにより、ユーザの利便性の低下を抑制しつつ消費電力を低減することができる。
【００１０】
これに対し、第１の受取方法が有効にされている場合、すなわち認証情報の受け取りに時間を要しない場合は、認証情報の受け取りが完了する前に電力供給の抑制の解除を開始したとしても、認証情報の受け取りを開始してから通常状態への復帰が完了するまでの時間のうち認証情報の受け取りに費やされる時間が短い。このため、認証情報の受け取りが完了してから通常状態への復帰が完了するまでのユーザの体感時間が長い。このため、第１の受取方法が有効にされている場合は第２の受取方法に応じた基準時間よりも長い基準時間を設定しておくと、ユーザが認証情報を受け取るときにデータ処理部に電力が供給されている確率が高くなり、ユーザの利便性の低下を抑制できる。
【００１１】
また、前記複数の受取方法には、第１の受取方法と、前記第１の受取方法より認証情報の受け取りに要する時間が長い第２の受取方法とがあり、前記第１の受取方法に応じた前記基準時間は、前記第２の受取方法に応じた前記基準時間よりも短くしてもよい。
【００１２】
第２の受取方法が有効にされている場合、すなわち認証情報の受け取りに時間を要する場合は、認証情報の受け取りに要する時間と、受け取りが完了してからデータ処理部が稼働可能になるまでの時間とを合計した時間が長いため、認証情報の受け取りを開始させてからデータ処理部が稼働可能になるまでのユーザの体感時間が長くなる。このため、第２の受取方法が有効にされている場合は第１の受取方法に応じた基準時間よりも長い基準時間を設定しておくと、ユーザが認証情報を受け取らせるときにデータ処理部に電力が供給されている確率が高くなり、ユーザの利便性の低下を抑制できる。
【００１３】
これに対し、第１の受取方法が有効にされている場合、すなわち認証情報の受け取りに時間を要しない場合は、認証情報の受け取りに要する時間と、受け取りが完了してからデータ処理部が稼働可能になるまでの時間とを合計した時間が短い。このため、ユーザが認証情報を受け取らせるときにデータ処理部に電力が供給されていなくても、ユーザの利便性は大きく低下しない。このため、第１の受取方法が有効にされている場合は第２の受取方法に応じた基準時間よりも短い基準時間を設定しておくことにより、ユーザの利便性の低下を抑制しつつ消費電力を低減することができる。
【００１４】
また、前記制御部は、前記設定処理において、認証情報の受け取りに要する時間が長いほど長い前記基準時間を設定してもよい。
【００１５】
認証情報の受け取りに要する時間が長いほど、受け取りが完了してからデータ処理部が稼働可能になるまでの時間が長くなるので、ユーザの利便性が低下する。上記データ処理装置によると、認証情報の受け取りに要する時間が長いほど長い基準時間を設定するので、ユーザが認証情報を受け取らせるときにデータ処理部に電力が供給されている確率が高くなり、ユーザの利便性の低下を抑制できる。
【００１６】
また、前記受取部は、外部記憶媒体から認証情報を読み取る読取装置が接続される接続部と、操作部とを有し、前記第１の受取方法は前記読取装置が外部記憶媒体から読み取った認証情報を、前記接続部を介して受け取る方法であり、前記第２の受取方法は前記操作部で認証情報の入力を受け付けることによって受け取る方法であってもよい。
【００１７】
読取装置が外部記憶媒体から読み取った認証情報を受け取る方法は、操作部で認証情報の入力を受け付けることによって受け取る方法に比べて認証情報の受け取りに時間を要しない。このため、読取装置が外部記憶媒体から読み取った認証情報を受け取る方法は第１の受取方法であり、操作部でユーザから認証情報の入力を受け付けることによって受け取る方法は第２の受取方法であるといえる。
【００１８】
また、前記制御部は、前記第２の受取方法の場合は、認証情報の入力を受け付けている途中で前記解除処理を開始してもよい。
【００１９】
上記データ処理装置によると、認証情報の入力が完了してから解除処理を開始する場合に比べ、データ処理部が稼働可能になるまでのユーザの体感時間を短くすることができるので、データ処理部への電力供給を抑制してもユーザの利便性の低下を抑制できる。
【００２０】
また、前記制御部は、認証情報の入力が完了する前に、入力された分の認証情報が正しいか否かを判断し、正しいと判断した場合に前記解除処理を開始してもよい。
【００２１】
認証情報の入力を受け付けている途中で解除処理を開始する場合であっても、少なくとも入力された分の認証情報が正しいか否かを判断するようにすると、入力された認証情報が正しくなかったにもかかわらず解除処理を開始してしまったという無駄を低減できる。
【００２２】
また、前記制御部は、前記第１の受取方法、及び、前記第２の受取方法の両方が有効にされている場合は、前記設定処理において、前記第１の受取方法に応じた前記基準時間を設定してもよい。
【００２３】
第１の受取方法と第２の受取方法とでは、一般に第１の受取方法の方が利用される可能性が高い。上記データ処理装置によると、第１の受取方法及び第２の受取方法の両方が有効に設定されている場合は第１の受取方法に応じた基準時間を設定するので、利用される可能性が高い受取方法に応じた基準時間を設定できる。
【００２４】
なお、本明細書によって開示される技術は、データ処理方法、データ処理プログラム、データ処理プログラムを記録した記録媒体等の種々の態様で実現することができる。
【発明の効果】
【００２５】
上記のデータ処理装置によると、複数の受取方法で認証情報を受け取り可能な場合のユーザの利便性の低下の抑制と消費電力の低減との調和を図ることができる。
【図面の簡単な説明】
【００２６】
【図１】実施形態１に係るプリンタの電気的構成を示すブロック図。
【図２】受取方法指定処理のフローチャート。
【図３】消費電力抑制処理のフローチャート。
【図４】実施形態３に係る消費電力抑制処理のフローチャート。
【図５】手入力の場合のログイン処理のフローチャート。
【発明を実施するための形態】
【００２７】
＜実施形態１＞
実施形態１を図１ないし図３によって説明する。
（１）プリンタの電気的構成
先ず、図１を参照して、実施形態１に係るデータ処理装置としてのプリンタ１の電気的構成について説明する。プリンタ１は制御部１０、画像形成部１１、操作部１２、カードリーダ接続部１３、通信インタフェース部１４、電源部１５などを備えている。
【００２８】
制御部１０はＣＰＵ１０Ａ、ＥＥＰＲＯＭ１０Ｂ、ＲＡＭ１０Ｃ、ＡＳＩＣ１０Ｄなどを備えて構成されている。ＣＰＵ１０ＡはＥＥＰＲＯＭ１０Ｂに記憶されている制御プログラムを実行することによってプリンタ１の各部を制御する。ＥＥＰＲＯＭ１０ＢにはＣＰＵ１０Ａによって実行される制御プログラムやユーザ管理テーブルなどの各種のデータが記憶されている。ユーザ管理テーブルはプリンタ１へのログインが許可されているユーザのパスワードが登録されているテーブルである。ＲＡＭ１０ＣはＣＰＵ１０Ａが各種の処理を実行するための主記憶装置として用いられる。制御プログラムはデータ処理プログラムの一例である。また、パスワードは認証情報の一例である。
【００２９】
画像形成部１１は電子写真方式やインクジェット方式などでシートに画像を印刷する。画像形成部１１はデータ処理部の一例である。
操作部１２は液晶ディスプレイなどの表示装置や各種の操作ボタンなどを備えている。ユーザは操作部１２を操作することによって各種の操作を行うことができる。また、ユーザは操作部１２を操作してプリンタ１にパスワードを入力することができる。操作部１２は受取部の一例である。
【００３０】
カードリーダ接続部１３は、カードからパスワードを読み取るカードリーダ２０をプリンタ１に接続するためのハードウェアである。つまり、プリンタ１にはパスワードを読み取るためカードリーダ２０を後付けすることができる。カードリーダ２０は例えば近距離無線通信によってカードから非接触でパスワードを読み取るものであってもよいし、カードに接触してパスワードを読み取るものであってもよい。カードリーダ接続部１３は受取部、及び、接続部の一例である。カードリーダ２０は読取装置の一例である。また、カードは外部記憶媒体の一例である。
【００３１】
通信インタフェース部１４は、ＵＳＢ（Ｕｎｉｖｅｒｓａｌ  Ｓｅｒｉａｌ  Ｂｕｓ）、ＬＡＮ（Ｌｏｃａｌ  Ａｒｅａ  Ｎｅｔｗｏｒｋ）、インターネットなどの通信回線を介して外部の装置と通信するためのハードウェアである。通信インタフェース部１４は通信回線を介して外部の装置から印刷ジョブを受信する。
電源部１５はプリンタ１を構成している各部に電力を供給する装置である。図中において点線は電力線を示している。
【００３２】
（２）パスワードの受け取り
ユーザはパーソナルコンピュータなどの外部の装置からプリンタ１に印刷ジョブを送信することができる。ただし、プリンタ１は印刷ジョブを受信しても、ユーザがプリンタ１にログインして印刷ジョブの実行を指示するまでその印刷ジョブを実行しない。
【００３３】
具体的には、ユーザは外部の装置からプリンタ１に印刷ジョブを送信するとき、印刷ジョブにパスワードを設定して送信する。そして、ユーザはプリンタ１に印刷ジョブを送信した後、プリンタ１にパスワードを受け取らせてログインし、操作部１２を操作して印刷ジョブの実行を指示する。プリンタ１は印刷ジョブの実行が指示されると、受信した印刷ジョブのうち受け取ったパスワードと一致するパスワードが設定されている印刷ジョブを実行してシートに画像を印刷する。
【００３４】
プリンタ１は上述したパスワードを二つの方法で受け取ることができる。一つはカードリーダ２０によってカードからパスワードを読み取ることによって受け取る方法（第１の受取方法）であり、もう一つはユーザが操作部１２を操作してパスワードを手入力することによって受け取る方法（第２の受取方法）である。
【００３５】
以降の説明ではカードリーダ２０によってカードからパスワードを読み取ることによって受け取る方法のことを単に「カードから読み取る方法」という。また、ユーザが操作部１２を操作してパスワードを手入力することによって受け取る方法のことを単に「手入力する方法」という。
【００３６】
詳しくは後述するが、本実施形態ではプリンタ１の管理者がこれら二つの受取方法のうちいずれか一方のみを有効にする。プリンタ１はそれら二つの受取方法のうち有効にされている受取方法でパスワードを受け取る。
【００３７】
（３）画像形成部の通常状態、及び、スリープ状態
制御部１０は画像形成部１１の待機時間が予め設定されている基準時間に達すると節電のために画像形成部１１への電力供給を抑制する。具体的には、制御部１０はユーザが操作部１２を操作してログオフしたときを画像形成部１１の待機時間の起点とし、ログオフしたときからの経過時間が基準時間に達すると画像形成部１１への電力供給を抑制する。
【００３８】
以降の説明では、画像形成部１１への電力供給が抑制されておらず、画像形成部１１が直ぐに稼働可能な状態のことを通常状態という。また、画像形成部１１への電力供給が抑制されており、画像形成部１１が稼働不能な状態のことをスリープ状態という。
【００３９】
スリープ状態から通常状態への復帰は、パスワードの入力が開始されたことに応じて行われる。具体的には、制御部１０は受け取ったパスワードを用いてユーザ認証を行い、そのユーザ認証に成功すると通常状態への復帰を開始する。ただし、スリープ状態から通常状態への復帰にはある程度時間がかかるので、通常状態への復帰を開始しても画像形成部１１は直ぐには通常状態にはならない。
【００４０】
（４）受取方法に応じた基準時間の設定
上述したように制御部１０はユーザ認証に成功すると通常状態への復帰を開始する。この場合、カードから読み取る方法（第１の受取方法）と手入力する方法（第２の受取方法）とで前述した基準時間が同じであるとすると、手入力する方法（第２の受取方法）の場合にユーザの利便性が低下する虞がある。
【００４１】
具体的には、手入力する方法（第２の受取方法）はカードから読み取る方法（第１の受取方法）に比べてパスワードの受け取りに要する時間が長い。このため、手入力する方法（第２の受取方法）の場合は、パスワードの受け取りに要する時間と、パスワードの受け取りが完了してから通常状態への復帰が完了するまでの時間とを合計した合計時間が長い。この合計時間が長いと、パスワードの受け取りが開始されてから通常状態への復帰が完了するまでのユーザの体感時間が長くなるので、ユーザの利便性が低下する。
【００４２】
このため、手入力する方法（第２の受取方法）の場合は長い基準時間を設定しておくことが望ましい。なぜなら、長い基準時間を設定しておくと、ユーザがパスワードを受け取らせるときに画像形成部１１が通常状態である確率が高くなるので、ユーザの利便性の低下を抑制できるからである。
【００４３】
これに対し、カードから読み取る方法（第１の受取方法）の場合はパスワードの受け取りに要する時間が短いので、上述した体感時間が短い。体感時間が短ければ、ユーザがパスワードを受け取らせるときに画像形成部１１がスリープ状態であっても、ユーザの利便性は大きく低下しない。
【００４４】
このため、カードから読み取る方法（第１の受取方法）の場合は短い基準時間を設定しておくことが望ましい。なぜなら、短い基準時間を設定しておくと、ユーザがパスワードを受け取らせるときに画像形成部１１がスリープ状態である可能性は高くなるものの、画像形成部１１が通常状態に復帰するまでのユーザの体感時間は短いので、ユーザの利便性の低下を抑制しつつ消費電力を低減することができるからである。
【００４５】
そこで、制御部１０は、手入力する方法（第２の受取方法）が有効にされている場合は、カードから読み取る方法（第１の受取方法）が有効にされている場合に比べ、長い基準時間を設定する。逆に言うと、制御部１０は、カードから読み取る方法（第１の受取方法）が有効にされている場合は、手入力する方法（第２の受取方法）が有効にされている場合に比べ、短い基準時間を設定する。
【００４６】
（５）受取方法指定処理
次に、図２を参照して、制御部１０によって実行される受取方法指定処理について説明する。前述したようにプリンタ１にはカードリーダ２０を後付けすることができる。本実施形態では、カードリーダ２０が後付けされている場合は、プリンタ１の管理者がカードから読み取る方法（第１の受取方法）、又は、手入力する方法（第２の受取方法）のいずれか一方のみを有効にするものとする。受取方法指定処理はプリンタ１の管理者がいずれか一方の受取方法を有効にするための処理である。本処理はプリンタ１の管理者が操作部１２を操作して受取方法を指定するためのメニュー項目を選択すると開始される。
【００４７】
Ｓ１０１では、ＣＰＵ１０Ａは操作部１２に図示しない受取方法指定画面を表示してユーザから有効にする受取方法の指定を受け付ける。
Ｓ１０２では、ＣＰＵ１０ＡはＳ１０１で指定された受取方法を有効にする。
Ｓ１０３では、ＣＰＵ１０ＡはＳ１０２で有効にした受取方法に応じた基準時間を設定する。具体的には、予め受取方法毎に異なる基準時間が決められており、ＣＰＵ１０Ａは有効にされている受取方法に対して決められている基準時間を設定する。実施形態１では手入力する方法（第２の受取方法）の基準時間はカードから読み取る方法（第１の受取方法）の基準時間よりも長いものとする。Ｓ１０３は設定処理の一例である。
【００４８】
（６）消費電力抑制処理
次に、図３を参照して、制御部１０によって実行される消費電力抑制処理について説明する。本処理はユーザが有効にされている受取方法でプリンタ１にパスワードを受け取らせると開始される。
【００４９】
Ｓ２０１では、ＣＰＵ１０Ａは受け取ったパスワードを用いてユーザ認証を行う。具体的には、ＣＰＵ１０Ａは受け取ったパスワードがユーザ管理テーブルに登録されているか否かを判断し、登録されている場合はユーザ認証に成功したと判断し、登録されていない場合はユーザ認証に失敗したと判断する。ＣＰＵ１０Ａはユーザ認証に成功した場合はＳ２０２に進み、ユーザ認証に失敗した場合は本処理を終了する。
【００５０】
Ｓ２０２では、ＣＰＵ１０Ａはログイン処理を実行する。ログイン処理はプリンタ１がユーザからの操作を受け付けるログイン状態にする処理である。
Ｓ２０３では、ＣＰＵ１０Ａは画像形成部１１がスリープ状態であるか否かを判断し、スリープ状態である場合はＳ２０４に進み、スリープ状態ではない場合、すなわち通常状態である場合はＳ２０５に進む。
【００５１】
Ｓ２０４では、ＣＰＵ１０Ａは通常状態への復帰を開始する。Ｓ２０４は解除処理の一例である。
Ｓ２０５では、ＣＰＵ１０Ａは操作部１２を介してユーザから操作を受け付け、ユーザの操作に応じた処理を実行する。
例えば、ユーザは外部の装置から送信した印刷ジョブを実行させたい場合は、操作部１２を操作して印刷ジョブの実行を指示する。ＣＰＵ１０Ａは印刷ジョブの実行が指示されると、現在ログインしているユーザから受け取ったパスワードと同じパスワードが設定されている印刷ジョブを実行して画像形成部１１に画像を印刷させる。ただし、Ｓ２０３でスリープ状態であると判断された場合は、画像形成部１１が通常状態に復帰するまで画像の印刷は開始されないものとする。
ユーザはプリンタ１に必要な処理を行わせた後、操作部１２を操作してログアウトの操作を行う。
【００５２】
Ｓ２０６では、ＣＰＵ１０Ａはログアウト処理を実行する。ログアウト処理はプリンタ１がユーザからの操作を受け付けない状態にする処理である。
Ｓ２０７では、ＣＰＵ１０Ａはログアウトしたときからの経過時間（画像形成部１１の待機時間）が基準時間に達したか否かを判断し、基準時間に達した場合はＳ２０８に進み、達していない場合は達するまでＳ２０７の判断を繰り返す。  
【００５３】
前述したように本実施形態ではカードから読み取る方法（第１の受取方法）が有効にされている場合は手入力する方法（第２の受取方法）が有効にされている場合に比べて短い基準時間を設定するので、カードから読み取る方法（第１の受取方法）が有効にされている場合は手入力する方法（第２の受取方法）が有効にされている場合に比べて早い時点で基準時間に達することになる。逆に、手入力する方法（第２の受取方法）が有効にされている場合はカードから読み取る方法（第１の受取方法）が有効にされている場合に比べて遅い時点で基準時間に達することになる。
【００５４】
Ｓ２０８では、ＣＰＵ１０Ａは画像形成部１１をスリープ状態に移行させる。Ｓ２０８は抑制処理の一例である。
【００５５】
（７）実施形態の効果
以上説明した実施形態１に係るプリンタ１によると、有効にされている受取方法に応じて基準時間を設定することにより、複数の受取方法でパスワードを受け取り可能な場合のユーザの利便性の低下の抑制と消費電力の低減との調和を図ることができる。
【００５６】
更に、プリンタ１によると、第１の受取方法（カードから読み取る方法）と、第１の受取方法よりパスワードの受け取りに要する時間が長い第２の受取方法（手入力する方法）とがあり、カードから読み取る方法（第１の受取方法）に応じた基準時間は、手入力する方法（第２の受取方法）に応じた基準時間よりも短いので、カードから読み取る方法（第１の受取方法）が有効にされている場合はユーザの利便性の低下を抑制しつつ消費電力を低減することができる。一方、手入力する方法（第２の受取方法）が有効にされている場合は、ユーザがパスワードを受け取らせるときに画像形成部１１が通常状態である確率が高くなり、ユーザの利便性の低下を抑制できる。
【００５７】
＜実施形態２＞
次に、実施形態２を説明する。
前述した実施形態１ではユーザ認証に成功した場合に通常状態への復帰を開始する。言い換えると、実施形態１ではパスワードの受け取りが完了した後に通常状態への復帰を開始する。これに対し、実施形態２ではパスワードの受け取りが開始されるとその受け取りが完了するのを待つことなく通常状態への復帰を開始する。
【００５８】
パスワードの受け取りが完了するのを待つことなく通常状態への復帰を開始する場合、カードから読み取る方法（第１の受取方法）と手入力する方法（第２の受取方法）とで前述した基準時間が同じであるとすると、カードから読み取る方法（第２の受取方法）の場合にユーザの利便性が低下する虞がある。
【００５９】
具体的には、カードから読み取る方法（第１の受取方法）は手入力する方法（第２の受取方法）に比べてパスワードの受け取りに要する時間が短い。このため、パスワードの受け取りを開始してから通常状態への復帰が完了するまでの時間のうちパスワードの受け取りに費やされる時間が短いので、パスワードの受け取りが完了してから通常状態への復帰が完了するまでのユーザの体感時間が長くなり、ユーザの利便性が低下する。
【００６０】
このため、カードから読み取る方法（第１の受取方法）の場合は長い基準時間を設定しておくことが望ましい。なぜなら、長い基準時間を設定しておくと、ユーザがパスワードを受け取らせるときに画像形成部１１が通常状態である確率が高くなるので、ユーザの利便性の低下を抑制できるからである。
【００６１】
これに対し、手入力する方法（第２の受取方法）の場合はパスワードの受け取りに要する時間が長いので、パスワードの受け取りを開始してから通常状態への復帰が完了するまでの時間のうち多くの時間がパスワードの受け取りに費やされる。このため、パスワードの受け取りが完了してから通常状態への復帰が完了するまでのユーザの体感時間が短い。体感時間が短ければ、ユーザがパスワードを受け取らせるときに画像形成部１１がスリープ状態であっても、ユーザの利便性は大きく低下しない。
【００６２】
このため、手入力する方法（第２の受取方法）の場合は短い基準時間を設定しておくことが望ましい。なぜなら、短い基準時間を設定しておくと、ユーザがパスワードを入力するときに画像形成部１１がスリープ状態である可能性は高くなるものの、画像形成部１１が通常状態に復帰するまでのユーザの体感時間は短いので、ユーザの利便性の低下を抑制しつつ消費電力を低減することができるからである。
【００６３】
そこで、制御部１０は、手入力する方法（第２の受取方法）が有効にされている場合は、カードから読み取る方法（第１の受取方法）が有効にされている場合に比べ、短い基準時間を設定する。逆に言うと、制御部１０は、カードから読み取る方法（第１の受取方法）が有効にされている場合は、手入力する方法（第２の受取方法）が有効にされている場合に比べ、長い基準時間を設定する。
実施形態２はその他の点において実施形態１と実質的に同一である。
【００６４】
以上説明した実施形態２に係るプリンタ１によると、第１の受取方法（カードから読み取る方法）と、第１の受取方法よりパスワードの受け取りに要する時間が長い第２の受取方法（手入力する方法）とがあり、カードから読み取る方法（第１の受取方法）に応じた基準時間は、手入力する方法（第２の受取方法）に応じた基準時間よりも長いので、カードから読み取る方法（第１の受取方法）が有効にされている場合は、ユーザの利便性の低下を抑制できる。一方、手入力する方法（第２の受取方法）が有効にされている場合は、ユーザの利便性の低下を抑制しつつ消費電力を低減することができる。よって複数の受取方法でパスワードを受け取り可能な場合のユーザの利便性の低下の抑制と消費電力の低減との調和を図ることができる。
【００６５】
＜実施形態３＞
次に、実施形態３を図４ないし図５によって説明する。
前述した実施形態１では有効な受取方法が一つだけである場合を例に説明した。これに対し、実施形態３では、カードから読み取る方法（第１の受取方法）、及び、手入力する方法（第２の受取方法）の両方を同時に有効にすることができる。実施形態３に係る制御部１０は、両方が同時に有効にされている場合は、パスワードの受け取りに要する時間が短い受取方法であるカードから読み取る方法（第１の受取方法）に応じた基準時間を設定する。
【００６６】
また、前述した実施形態１ではユーザ認証が成功した後に通常状態への復帰を開始する場合を例に説明した。これに対し、実施形態３に係る制御部１０は、カードから読み取る方法（第１の受取方法）の場合はユーザ認証が成功した後に通常状態への復帰を開始し、手入力する方法（第２の受取方法）の場合はパスワードの入力の途中で通常状態への復帰を開始する。
【００６７】
上述したように、実施形態３では、カードから読み取る方法（第１の受取方法）の場合はユーザ認証が成功した後に通常状態への復帰を開始するので、実施形態１と同様の理由により、カードから読み取る方法（第１の受取方法）に応じた基準時間は手入力する方法（第２の受取方法）に応じた基準時間より短いものとする。これにより、ユーザがパスワードを受け取らせるときに画像形成部１１がスリープ状態である可能性は高くなるものの、カードから読み取る方法（第１の受取方法）でパスワードを受け取らせる場合には、画像形成部１１が通常状態に復帰するまでのユーザの体感時間は短いので、ユーザの利便性の低下を抑制しつつ消費電力を低減することができる。
【００６８】
ただし、手入力する方法（第２の受取方法）の場合は基準時間が短いとユーザの利便性が低下してしまう虞がある。そのため、実施形態３では上述したようにパスワードの入力の途中で通常状態への復帰を開始することにより、ユーザの利便性の低下を抑制する。
【００６９】
（１）消費電力抑制処理
図４を参照して、実施形態３に係る消費電力抑制処理について説明する。本処理はユーザが操作部１２を操作してパスワードの受取方法を選択すると開始される。なお、パスワードの受取方法を選択する操作はプリンタ１にログインしていなくても可能であるとする。
【００７０】
Ｓ３０１では、ＣＰＵ１０Ａはユーザが選択した受取方法がカードから読み取る方法（第１の受取方法）であるか否かを判断し、カードから読み取る方法（第１の受取方法）である場合はＳ３０２に進み、カードから読み取る方法（第１の受取方法）ではない場合、すなわち手入力する方法（第２の受取方法）である場合はＳ３０７に進む。
【００７１】
Ｓ３０２では、ＣＰＵ１０Ａはカードリーダ２０がカードから読み取ったパスワードを受け取る。
Ｓ３０３では、ＣＰＵ１０Ａはカードリーダ２０から受け取ったパスワードを用いてユーザ認証を行い、ユーザ認証に成功した場合はＳ３０４に進み、ユーザ認証に失敗した場合は本処理を終了する。
【００７２】
Ｓ３０４では、ＣＰＵ１０Ａはログイン処理を実行する。
Ｓ３０５では、ＣＰＵ１０Ａは画像形成部１１がスリープ状態であるか否かを判断し、スリープ状態である場合はＳ３０６に進み、スリープ状態ではない場合、すなわち通常状態である場合はＳ３０６をスキップしてＳ３１０に進む。
Ｓ３０６では、ＣＰＵ１０Ａは通常状態への復帰を開始する。Ｓ３０６は解除処理の一例である。
【００７３】
Ｓ３０７では、ＣＰＵ１０Ａは手入力の場合のログイン処理を実行する。手入力の場合のログイン処理についての説明は後述する。
Ｓ３０８では、ＣＰＵ１０Ａは手入力する方法（第２の受取方法）によって受け取ったパスワードを用いてユーザ認証を行い、ユーザ認証に成功した場合はＳ３０９に進み、ユーザ認証に失敗した場合は本処理を終了する。
【００７４】
Ｓ３０９では、ＣＰＵ１０Ａはログイン処理を実行する。
Ｓ３１０では、ＣＰＵ１０Ａは操作部１２を介してユーザから操作を受け付け、ユーザの操作に応じた処理を実行する。ユーザはプリンタ１に必要な処理を行わせた後、操作部１２を操作してログアウトの操作を行う。
Ｓ３１１では、ＣＰＵ１０Ａはログアウト処理を実行する。
【００７５】
Ｓ３１２では、ＣＰＵ１０Ａはログアウトしたときからの経過時間（画像形成部１１の待機時間）が基準時間に経過したか否かを判断する。前述したようにカードから読み取る方法（第１の受取方法）、及び、手入力する方法（第２の受取方法）の両方が同時に有効にされている場合はカードから読み取る方法（第１の受取方法）に応じた基準時間が設定される。つまり、実際にパスワードを受け取った方法が手入力する方法（第２の受取方法）であったとしても、商方が同時に有効にされている場合はカードから読み取る方法（第１の受取方法）に応じた基準時間が用いられる。ＣＰＵ１０Ａは、基準時間に達した場合はＳ３１３に進み、達していない場合は達するまでＳ３１２の判断を繰り返す。
【００７６】
Ｓ３１３では、ＣＰＵ１０Ａは画像形成部１１をスリープ状態に移行させる。Ｓ３１３は抑制処理の一例である。
【００７７】
（２）手入力の場合のログイン処理
次に、図５を参照して、前述したＳ３０７で実行される手入力の場合のログイン処理について説明する。
【００７８】
Ｓ４０１では、ＣＰＵ１０Ａは操作部１２を介してパスワードの入力を１文字分受け取る。
Ｓ４０２では、ＣＰＵ１０Ａはパスワードの入力が完了したか否かを判断する。例えばパスワードの全文字数が１０文字であるとすると、ＣＰＵ１０ＡはＳ４０１が１０回繰り返されて１０文字が入力されるとパスワードの入力が完了したと判断する。ＣＰＵ１０Ａは、入力が完了していない場合はＳ４０３に進み、完了した場合は消費電力抑制処理に戻る。
【００７９】
Ｓ４０３では、ＣＰＵ１０Ａは画像形成部１１がスリープ状態であるか否かを判断し、スリープ状態である場合はＳ４０４に進み、スリープ状態ではない場合、すなわち通常状態である場合はＳ４０１に戻る。
Ｓ４０４では、ＣＰＵ１０Ａは入力されたパスワードが規定文字数以上であるか否かを判断する。例えばパスワードの全文字数が１０文字であるとすると、規定文字数は７文字などのようにパスワードの全文字数より小さい文字数である。ＣＰＵ１０Ａは、規定文字数以上である場合はＳ４０５に進み、規定文字数未満である場合はＳ４０１に戻って処理を繰り返す。
【００８０】
Ｓ４０５では、ＣＰＵ１０Ａは受け取った分のパスワードが正しいか否かを判断する。具体的には、ＣＰＵ１０Ａはユーザ管理テーブルに登録されているパスワードの中に、最初の規定文字数分の文字がＳ４０１で受け取った規定文字数分の文字と一致するものがあるか否かを判断し、一致するものがある場合は正しいと判断し、一致するものがない場合は正しくないと判断する。ＣＰＵ１０Ａは、正しいと判断した場合は４０６に進み、正しくないと判断した場合はＳ４０１に戻って処理を繰り返す。
Ｓ４０６では、ＣＰＵ１０Ａは通常状態への復帰を開始する。Ｓ４０６は解除処理の一例である。
【００８１】
（３）実施形態の効果
以上説明した実施形態３に係るプリンタ１によると、手入力する方法（第２の受取方法）の場合は、入力を受け付けている途中で解除処理（Ｓ４０６）を開始するので、パスワードの入力が完了してから解除処理を開始する場合に比べ、パスワードの受け取りが完了してから画像形成部１１が通常状態に復帰するまでのユーザの体感時間を短くすることができる。これにより、ユーザの利便性の低下を抑制することができる。
【００８２】
更に、プリンタ１によると、制御部１０は、パスワードの入力が完了する前に、入力された分のパスワードが正しいか否かを判断し、正しいと判断した場合に解除処理（Ｓ４０６）を開始する。パスワードの入力を受け付けている途中で解除処理を開始する場合であっても、少なくとも入力された分のパスワードが正しいか否かを判断するようにすると、入力されたパスワードが正しくなかったにもかかわらず解除処理を開始してしまったという無駄を低減できる。
【００８３】
更に、プリンタ１によると、制御部１０は、カードから読み取る方法（第１の受取方法）、及び、手入力する方法（第２の受取方法）の両方が有効にされている場合は、カードから読み取る方法（第１の受取方法）に応じた基準時間を設定する。カードから読み取る方法（第１の受取方法）と手入力する方法（第２の受取方法）とでは、一般にカードから読み取る方法（第１の受取方法）の方が利用される可能性が高いので、カードから読み取る方法（第１の受取方法）に応じた基準時間を設定すると、利用される可能性が高い受取方法に応じた基準時間を設定できる。
【００８４】
＜他の実施形態＞
上記記述及び図面によって説明した実施形態に限定されるものではなく、例えば次のような実施形態も技術的範囲に含まれる。
【００８５】
（１）上記実施形態ではデータ処理部として画像形成部１１を例に説明した。これに対し、データ処理部は例えば制御部１０であってもよい。具体的には例えば、制御部１０がメインＣＰＵと、メインＣＰＵよりも消費電力が小さいサブＣＰＵとを備えている場合は、通常状態ではメインＣＰＵに電力を供給し、スリープ状態ではメインＣＰＵへの電力供給を抑制してサブＣＰＵに電力を供給してもよい。また、例えばデータ処理装置がイメージスキャナである場合は、データ処理部はイメージスキャナが備える画像読取部であってもよい。また、データ処理部はデータ加工などの処理を行う制御部１０であってもよい。例えば、制御部１０が画像データに基づいて画像形成部１１の駆動用データを生成するデータ処理を行う装置であってもよい。つまり、データ処理部とは何らかのデータ処理を行う部分であれば形態は問わない。
【００８６】
（２）上記実施形態ではユーザが操作部１２を操作してログオフしたときを画像形成部１１の待機時間の起点とする場合を例に説明した。これに対し、待機時間の起点は画像形成部１１が最後に印刷を実行したときであってもよいし、ユーザが最後に操作部１２を操作したときであってもよい。画像形成部１１の待機時間の起点は適宜に決定することができる。
【００８７】
（３）上記実施形態１では受取方法毎に基準時間が予め決められている場合を例に説明した。この基準時間は、パスワードの受け取りに要する時間が長いほど長い時間に決められていてもよい。具体的には例えば、手入力する方法（第２の受取方法）が有効にされている場合、操作部１２の構成によって手入力に要する時間が異なることも考えられる。このため、手入力に要する時間が長いほど長い基準時間を設定してもよい。パスワードの受け取りに要する時間が長いほど、受け取りが完了してから画像形成部１１が稼働可能になるまでの時間が長くなるので、ユーザの利便性が低下する。手入力に要する時間が長いほど長い基準時間を設定すると、ユーザがパスワードを受け取らせるときに画像形成部１１に電力が供給されている確率が高くなり、ユーザの利便性の低下を抑制できる。
【００８８】
（４）上記実施形態１ではカードリーダ２０が後付けされている場合はカードから読み取る方法（第１の受取方法）、又は、手入力する方法（第２の受取方法）のいずれを有効にするかを管理者が指定する場合を例に説明した。これに対し、カードリーダ２０が後付けされている場合は自動でカードから読み取る方法（第１の受取方法）を有効にしてもよい。
【００８９】
（５）上記実施形態では受取方法毎に予め異なる基準時間が決められている場合を例に説明した。これに対し、プリンタ１の出荷時には全ての受取方法について同じ基準時間が決められており、ユーザがプリンタ１の購入後に手動で受取方法毎に基準時間を変更できるようにしてもよい。
【００９０】
（６）上記実施形態ではＥＥＰＲＯＭ１０Ｂにユーザ管理テーブルが記憶されており、制御部１０は受け取ったパスワードがユーザ管理テーブルに登録されているか否かを判断することによってユーザ認証を行う場合を例に説明した。これに対し、ユーザ認証は外部のサーバによって行われてもよい。具体的には、制御部１０は外部のサーバにパスワードを送信し、外部のサーバがそのパスワードを用いてユーザ認証を行い、その結果をプリンタ１に送信してもよい。
【００９１】
（７）上記実施形態では認証情報としてパスワードを例に説明した。しかしながら、認証情報はパスワードに限られるものではなく、例えば指紋であってもよい。
【００９２】
（８）上記実施形態１では、パスワードの受け取りが完了するのを待って通常状態への復帰を開始する場合に、カードから読み取る方法（第１の受取方法）が有効にされている場合は、手入力する方法（第２の受取方法）が有効にされている場合に比べ、短い基準時間を設定することを説明した。
これに対し、パスワードの受け取りが完了するのを待って通常状態への復帰を開始する場合に、カードから読み取る方法（第１の受取方法）が有効にされている場合は、手入力する方法（第２の受取方法）が有効にされている場合に比べ、長い基準時間を設定する構成であってもよい。
カードから読み取る方法（第１の受取方法）を有効にしているということは、管理者の意図として、パスワードの受け取りを開始してからデータ処理を開始するまでの時間をできるだけ短縮したいとの意図があると考えることもできる。したがって、カードから読み取る方法（第１の受取方法）の場合は長い基準時間を設定しておき、ユーザがパスワードを受け取らせるときに画像形成部１１が通常状態である確率を高くすることで、ユーザの利便性の低下を抑制した方がよいと考えられるからである。
なお、この考え方は、パスワードの受け取りが完了するのを待って通常状態への復帰を開始する場合に限定されるものではない。
【００９３】
（９）上記実施形態では外部記憶媒体としてカードを例に説明した。しかしながら、外部記憶媒体はカードに限られない。例えば外部記憶媒体は携帯電話のような携帯端末に内蔵された記憶媒体、例えばＮＦＣ（Ｎｅａｒ Ｆｉｅｌｄ Ｃｏｍｍｕｎｉｃａｔｉｏｎ）チップであってもよい。そして、このような携帯端末とＮＦＣによって通信するための通信装置をプリンタ１に設け、通信装置が携帯端末からＮＦＣによって受信したパスワードを受け取ってもよい。
【００９４】
（１０）上記実施形態ではＣＰＵ１０Ａによって各処理が実行される場合を例に説明した。これに対し、これらの処理の一部はＡＳＩＣ１０Ｄによって実行されてもよい。また、制御部１０はＡＳＩＣ１０Ｄを備えていなくてもよい。また、制御部１０は複数のＣＰＵを備え、上述した処理を複数のＣＰＵによって分担して実行してもよい。
【符号の説明】
【００９５】
１・・・プリンタ、１０・・・制御部、１１・・・画像形成部、１２・・・操作部、１３・・・カードリーダ接続部、１４・・・通信インタフェース部、１５・・・電源部、２０・・・カードリーダ
【図１】
2015189098.tif 000003
【図２】
2015189098.tif 000004
【図３】
2015189098.tif 000005
【図４】
2015189098.tif 000006
【図５】
2015189098.tif 000007